(57)【要約】【課題】本考案は、下胸サポートを組み込んでいるブラジャーに関する。詳しくは、従来のスチール製アンダーワイヤサポートの代替として下胸サポートを組み込んでいるブラジャーに関する。【解決手段】本考案は、２つの胸カップと、該２つの胸カップ間のブリッジと、前記２つの胸カップの各々について、前記胸カップの下部周辺縁部の少なくとも一部から延伸しているフランジと、を形成するブラジャーカップ組立体であって、互いに積層され、前記２つの胸カップの形状を形成するように成形された少なくとも２つのプライ材と、前記２つの胸カップのうち一または双方の前記胸カップの前記下部周辺縁部で、又は前記下部周辺縁部に隣接して、前記少なくとも２つのプライ材のうちの２つのプライ材と積層され、該２つのプライ材の間に挿入されて、弾性的に屈曲可能とされている非金属の下胸サポートストリップと、を備えているブラジャーカップ組立体を含む。【選択図】図１ａ
0003126567.tif 000002
【実用新案登録請求の範囲】
【請求項１】
２つの胸カップと、該２つの胸カップ間のブリッジと、前記２つの胸カップの各々について、前記胸カップの下部周辺縁部の少なくとも一部から延伸しているフランジと、を形成するブラジャーカップ組立体であって、
該ブラジャーカップ組立体が、
（ａ）互いに積層され、前記２つの胸カップの形状を形成するように成形された少なくとも２つのプライ材と、
（ｂ）前記２つの胸カップのうち一または双方の前記胸カップの前記下部周辺縁部で、又は前記下部周辺縁部に隣接して、前記少なくとも２つのプライ材のうちの２つのプライ材と積層され、且つ、該２つのプライ材の間に挿入されて、弾性的に屈曲可能とされている非金属の下胸サポートストリップと、
を備えているブラジャーカップ組立体。
【請求項２】
前記下胸サポートストリップが、前記下部周辺縁部に隣接する前記胸カップの側面に設けられていることを特徴とする請求項１に記載のブラジャーカップ組立体。
【請求項３】
２つの前記下胸サポートストリップが設けられ、前記下胸サポートストリップの各々が、前記２つの胸カップのうちいずれか一方の胸カップの下部周辺縁部に隣接する胸カップの側面に設けられていることを特徴とする請求項２に記載のブラジャーカップ組立体。
【請求項４】
さらなる２つの下胸サポートストリップが設けられ、該下胸サポートストリップの各々が、前記２つの胸カップのうちいずれか一方の胸カップの下部周辺縁部に隣接するフランジ側面に設けられていることを特徴とする請求項３に記載のブラジャーカップ組立体。
【請求項５】
さらなる下胸サポートストリップが設けられ、前記下胸サポートストリップが、前記フランジ側面上の２つの胸カップの前記下部周辺縁部に隣接し、前記ブリッジを横切って延伸している一体的な下胸サポートストリップとされていることを特徴とする請求項３に記載のブラジャーカップ組立体。
【請求項６】
前記下胸サポートストリップが、前記下部周辺縁部に隣接する前記フランジ側面上に設けられていることを特徴とする請求項１に記載のブラジャーカップ組立体。
【請求項７】
２つの前記下胸サポートストリップが設けられ、前記下胸サポートストリップの各々が、前記２つの胸カップのうちいずれか一方の胸カップの前記下部周辺縁部に隣接するフランジ側面上に設けられていることを特徴とする請求項６に記載のブラジャーカップ組立体。
【請求項８】
前記下胸サポートストリップが、前記２つの胸カップの前記下部周辺縁部に隣接し、前記ブリッジを横切って延伸している一体的な下胸サポートストリップとされることを特徴とする請求項６に記載のブラジャーカップ組立体。
【請求項９】
前記少なくとも２つのプライ材のうち少なくとも２つのプライ材が、互いに同一の大きさとされていることを特徴とする請求項１に記載のブラジャーカップ組立体。
【請求項１０】
２つの前記プライ材のみが設けられ、各プライ材が織物のプライとされていることを特徴とする請求項１に記載のブラジャーカップ組立体。
【請求項１１】
２つのプライ材が織物のプライであり、中間プライが前記２つの織物のプライの間に挿入され、下胸サポートストリップが、前記２つの織物のプライのうちいずれか１つのプライ及び前記中間プライに積層され、前記１つのプライと前記中間プライとの間にあることを特徴とする請求項１に記載のブラジャーカップ組立体。
【請求項１２】
前記中間プライが、少なくとも１つの発泡材層を備えていることを特徴とする請求項１１に記載のブラジャーカップ組立体。
【請求項１３】
前記中間プライが、前記２つの織物のプライと同一の大きさとされていることを特徴とする請求項１１に記載のブラジャーカップ組立体。
【請求項１４】
少なくとも前記胸カップに、少なくとも２つの積層された発泡プライ材からなるコア組立体が設けられ、前記下胸サポートストリップが、前記２つの積層された発泡プライ材に積層され、且つ、前記発泡プライ材間にあることを特徴とする請求項１に記載のブラジャーカップ組立体。
【請求項１５】
前記下胸サポートストリップが、前記下胸サポートストリップの厚さよりも大きな幅を有していることを特徴とする請求項１に記載のブラジャーカップ組立体。
【請求項１６】
前記下胸サポートストリップが、不織材料を含んでいることを特徴とする請求項１に記載のブラジャーカップ組立体。
【請求項１７】
前記下胸サポートストリップが、不織布を含んでいることを特徴とする請求項１に記載のブラジャーカップ組立体。
【請求項１８】
前記下胸サポートストリップが、実質的に非伸縮性の材料を含んでいることを特徴とする請求項１に記載のブラジャーカップ組立体。
【請求項１９】
前記下胸サポートストリップが、発泡材を含んでいることを特徴とする請求項１に記載のブラジャーカップ組立体。
【請求項２０】
前記下胸サポートストリップが、前記中間プライの発泡材よりも高剛性とされる発泡材を含んでいることを特徴とする請求項１２に記載のブラジャーカップ組立体。
【請求項２１】
前記下胸サポートストリップが、前記コア組立体の発泡材よりも高剛性とされる発泡材を含んでいることを特徴とする請求項１４に記載のブラジャーカップ組立体。
【請求項２２】
前記下胸サポートストリップが熱成形プロセスによって作られ、該プロセスの際に、前記ブラジャーカップ組立体が前記ブラジャーカップ組立体に組み込まれることを特徴とする請求項１に記載のブラジャーカップ組立体。
【請求項２３】
請求項１に記載のブラジャーカップ組立体を含んでいるブラジャー。
【請求項２４】
シームレスなブラジャーとされる請求項２３に記載のブラジャー。
【請求項２５】
成形されたシームレスなブラジャーとされる請求項２３に記載のブラジャー。
【請求項２６】
ブラジャーカップの形状を形成するように成形された少なくとも２つの積層されたプライ材と、
前記ブラジャーカップの下部周辺縁部で、又は該下部周辺縁部に隣接して前記プライ材間に挿入され、弾性的に屈曲可能とされる非金属の下胸サポートストリップと、
を備えているブラジャーカップ。
【請求項２７】
少なくとも２つのプライ材のうち少なくとも２つのプライ材が、互いに同一の大きさとされていることを特徴とする請求項２６に記載のブラジャーカップ。
【請求項２８】
２つのプライ材のみが設けられ、該プライ材の各々が織物のプライとされていることを特徴とする請求項２６に記載のブラジャーカップ。
【請求項２９】
２つのプライ材が織物のプライであり、中間プライが前記２つの織物のプライ間に挿入されて、前記下胸サポートストリップが、前記２つの織物のプライのうちいずれか１つのプライ及び前記中間プライに積層され、且つ、前記１つのプライと前記中間プライとの間にあることを特徴とする請求項２６に記載のブラジャーカップ。
【請求項３０】
前記中間プライが、少なくとも１つの発泡材層を備えていることを特徴とする請求項２９に記載のブラジャーカップ。
【請求項３１】
前記中間プライが、前記２つの織物のプライと同一の大きさとされていることを特徴とする請求項２９に記載のブラジャーカップ。
【請求項３２】
少なくとも２つの積層された発泡プライ材からなるコア組立体が設けられ、前記下胸サポートストリップが、前記２つの積層された発泡プライ材に積層され、且つ、前記発泡プライ材間にあることを特徴とする請求項２６に記載のブラジャーカップ。
【請求項３３】
前記下胸サポートストリップが、前記下胸サポートストリップの厚さよりも大きな幅を有していることを特徴とする請求項２６に記載のブラジャーカップ。
【請求項３４】
前記下胸サポートストリップが、不織材料を含んでいることを特徴とする請求項２６に記載のブラジャーカップ。
【請求項３５】
前記下胸サポートストリップが、実質的に非伸縮性の材料を含んでいることを特徴とする請求項２６に記載のブラジャーカップ。
【請求項３６】
前記下胸サポートストリップが、発泡材を含んでいることを特徴とする請求項２６に記載のブラジャーカップ。
【請求項３７】
前記下胸サポートストリップが、前記中間プライの発泡材よりも高剛性とされる発泡材を含んでいることを特徴とする請求項３０に記載のブラジャーカップ。
【請求項３８】
前記下胸サポートストリップが、前記コア組立体の発泡材よりも高剛性とされる発泡材を含んでいることを特徴とする請求項３２に記載のブラジャーカップ。
【請求項３９】
前記ブラジャーカップが、熱成形プロセスによって作られて、該プロセスの際に、前記下胸サポートストリップが前記ブラジャーカップに組み込まれることを特徴とする請求項２６に記載のブラジャーカップ。
【請求項４０】
２つの胸カップと、該２つの胸カップ間のブリッジと、前記２つの胸カップの各々から延伸しているチェストバンドと、を含んでいるシームレスなブラジャーであって、
（ａ）互いに積層され、前記２つの胸カップの形状を形成するように成形された織物材料からなる外側プライ及び内側プライと、
（ｂ）前記ブリッジで織物の前記外側プライと前記内側プライとの間に挿入され、前記外側プライ及び前記内側プライと積層された実質的に非伸縮性の材料からなる第１のパネルと、
（ｃ）チェストバンドが延伸している位置から前記２つのチェストバンドのうちいずれか１つのチェストバンドと前記胸カップとの交差部で、又は該交差部に隣接して、織物材料からなる前記外側プライ及び前記内側プライと積層され、前記外側プライと前記内側プライとの間に挿入された実質的に非伸縮性の材料からなる第２のパネルと、
（ｄ）前記チェストバンドが延伸している位置から前記２つのチェストバンドのうち他のチェストバンドと前記胸カップとの交差部で、又は該交差部に隣接して、織物材料からなる前記外側プライ及び前記内側プライと積層され、前記外側プライと前記内側プライとの間に挿入された実質的に非伸縮性の材料からなる第３のパネルと、
（ｅ）前記２つの胸カップのうち一または双方の前記胸カップの下部周辺縁部で、又は該下部周辺縁部に隣接して、織物材料からなる前記外側プライ及び前記内側プライに積層され、前記外側プライと前記内側プライとの間に挿入された弾性的に屈曲可能とされる非金属の下胸サポートストリップと、
を備えているブラジャー。
【請求項４１】
第１、第２、及び第３のパネルが、単一の連続的なパネルとされていることを特徴とする請求項４０に記載のシームレスなブラジャー。
【請求項４２】
前記ブラジャーが、前記２つの胸カップのうち少なくとも１つの胸カップの側面周辺縁部に隣接して、織物材料からなる前記外層と前記内層との間に挿入されたホットメルト接着剤によって形成される補強領域と、前記側面周辺縁部であって、前記２つの胸カップのうち少なくとも１つの前記胸カップから延伸しているチェストバンドと、肩紐が前記２つの胸カップのうち前記少なくとも１つの胸カップに接合しているか、又は接合し得る位置と、の間を延伸している前記側面周辺縁部と、をさらに備えていることを特徴とする請求項４０に記載のシームレスなブラジャー。
【請求項４３】
（ａ）発泡材の内層と積層され、２つの胸カップ及び該２つの胸カップ間にあるブリッジを形成するように成形された発泡材の外層からなるコア組立体と、
（ｂ）前記コア組立体の外面及び内面のそれぞれに配置された織物材料からなる外側の外層及び内側の外層であって、前記コア組立体の前記外側の外層及び前記内側の外層のうち一又は両方の層が、前記コア組立体の境界を越えて延伸し、ブラジャーのチェストバンド、又はその一部を形成している前記外側の外層及び前記内側の外層と、
（ｃ）前記２つの胸カップのうち一または双方の前記胸カップの下部周辺縁部で、又は該下部周辺縁部に隣接して、発泡材の外層及び内層と積層され、前記外層と前記内層との間に挿入されて、弾性的に屈曲可能とされる非金属の下胸サポートストリップと、
を備えているシームレスなブラジャー。
【請求項４４】
前記ブラジャーが、前記ブリッジで発泡材からなる前記外層及び前記内層と積層され、前記外層と前記内層との間に挿入された実質的に非伸縮性の材料からなるパネルをさらに備えていることを特徴とする請求項４３に記載のシームレスなブラジャー。
【請求項４５】
前記コア組立体が、前記２つの胸カップの各々の前記下部周辺縁部の少なくとも一部から延伸しているフランジをさらに備えていることを特徴とする請求項４３に記載のシームレスなブラジャー。
【考案の詳細な説明】
【技術分野】
【０００１】
本考案は、下胸サポートを組み込んでいるブラジャーに関する。詳しくは、従来のスチール製アンダーワイヤサポートの代替として下胸サポートを組み込んでいるブラジャーに関する。しかし、これに限定される訳ではない。
【背景技術】
【０００２】
アンダーワイヤ構造体を組み込んでいるブラジャー（以下において“ブラ”）が一般的である。アンダーワイヤ構造体は、着用者の胸に位置しており、ブラ及び胸の形状を支持している。アンダーワイヤのブラは損傷しやすいことがよく知られている。アンダーワイヤが柔らかい織物のブラに組み込まれている小径のスチールロッドからなる高剛性アイテムであるという事実の結果として、そのような損傷が本質的に起こり得る。アンダーワイヤは、特にブラが洗濯され回転式乾燥機で乾燥された場合に、ブラの完全性に影響を及ぼす傾向がある。特にアンダーワイヤの端部が露出して、時にはブラから脱落して無くしてしまうという結果となる。突出しているアンダーワイヤは、着用者の肌に抗して押すことによって、ブラ着用者の不快感の原因となる。しかしながら、アンダーワイヤのブラのために利用されるワイヤは、サポートを提供するための安価な解決策である。ワイヤ（一般的にスチール）は、サポートを提供するために有益な所望の特性を有している低コストの製造アイテムである。ブラのレイヤーを破る可能性を低減するために、アンダーワイヤは、所定の経路に正常に設けられている。このことは、製造コストを増やすことになる。
【０００３】
従って、本考案の目的は、上記欠点を解消するか、又は、少なくとも使いやすい選択を公衆に提供することが可能とされ、下胸サポートを代替物として組み込んでいるブラを提供することである。
【考案の開示】
【考案が解決しようとする課題】
【０００４】
従って、第１の態様においては、本考案は、２つの胸カップと、該２つの胸カップ間のブリッジと、前記２つの胸カップの各々について、前記胸カップの下部周辺縁部の少なくとも一部から延伸しているフランジと、を形成するブラジャーカップ組立体であって、（ａ）互いに積層され、前記２つの胸カップの形状を形成するように成形された少なくとも２つのプライ材と、（ｂ）前記２つの胸カップのうち一または双方の前記胸カップの前記下部周辺縁部で、又は前記下部周辺縁部に隣接して、前記少なくとも２つのプライ材のうちの２つのプライ材と積層され、該２つのプライ材の間に挿入されて、弾性的に屈曲可能とされている非金属の下胸サポートストリップと、を備えているブラジャーカップ組立体を含む。
【課題を解決するための手段】
【０００５】
好ましくは、下胸サポートストリップが、下部周辺縁部に隣接する胸カップ側面に設けられている。
【０００６】
好ましくは、２つの下胸サポートストリップが設けられ、各下胸サポートストリップは、２つの胸カップのうちいずれか一方の胸カップの下部周辺縁部に隣接する胸カップ側面に設けられている。
【０００７】
好ましくは、さらなる２つの下胸サポートストリップが設けられ、各下胸サポートストリップは、２つの胸カップのうちいずれか一方の胸カップの下部周辺縁部に隣接するフランジ側面に設けられている。
【０００８】
好ましくは、さらなる下胸サポートストリップが設けられ、さらなる下胸サポートストリップは、フランジ側面上の２つの胸カップの下部周辺縁部に隣接し、ブリッジを横切って延伸している一体的な下胸サポートストリップとされる。
【０００９】
好ましくは、下胸サポートストリップは、下部周辺縁部に隣接するフランジ側面に設けられている。
【００１０】
好ましくは、２つの下胸サポートストリップが設けられ、各下胸サポートストリップは、２つの胸カップのうちいずれか一方の胸カップの下部周辺縁部に隣接するフランジ側面上に設けられている。
【００１１】
好ましくは、下胸サポートストリップは、２つの胸カップの下部周辺縁部に隣接し、ブリッジを横切って延伸している一体的な下胸サポートストリップとされている。
【００１２】
好ましくは、少なくとも２つのプライ材のうち少なくとも２つのプライ材は、互いに同一の大きさとされている。
【００１３】
好ましくは、２つのプライ材のみが設けられ、各プライ材は織物のプライとされる。
【００１４】
好ましくは、２つのプライ材が織物のプライであり、中間プライが２つの織物のプライの間に挿入されて、下胸サポートストリップが２つの織物のプライのうち１つのプライ及び中間プライに積層され、前記１つのプライと前記中間プライとの間にある。
【００１５】
好ましくは、中間プライは、少なくとも１つの発泡材層を備えている。
【００１６】
好ましくは、中間プライは、２つの織物のプライと同一の大きさとされている。
【００１７】
好ましくは、少なくとも２つの積層された発泡プライ材からなるコア組立体が少なくとも胸カップで設けられ、下胸サポートストリップが２つの積層された発泡プライ材に積層され、前記２つの積層された発泡プライ材の間に積層されている。
【００１８】
好ましくは、下胸サポートストリップは、その厚さよりも大きな幅を有している。
【００１９】
好ましくは、下胸サポートストリップは、不織材料を含んでいる。
【００２０】
好ましくは、下胸サポートストリップは、不織布を含んでいる。
【００２１】
好ましくは、下胸サポートストリップは、実質的に非伸縮性の材料を含んでいる。
【００２２】
好ましくは、下胸サポートストリップは、発泡材を含んでいる。
【００２３】
好ましくは、下胸サポートストリップは、中間プライの発泡材よりも高剛性とされる発泡材を含んでいる。
【００２４】
好ましくは、下胸サポートストリップは、コア組立体の発泡材よりも剛性の高い発泡材を含んでいる。
【００２５】
好ましくは、ブラジャーカップ組立体が熱成形プロセスによって作られて、該プロセスの際に、下胸サポートストリップがブラジャーカップ組立体に組み込まれる。
【００２６】
さらなる態様においては、本考案は、以下に説明するブラジャーカップ組立体を含むブラジャーにある。
【００２７】
好ましくは、前記ブラジャーは、シームレスなブラジャーとされる。
【００２８】
好ましくは、前記ブラジャーは、成形されたシームレスなブラジャーとされる。
【００２９】
さらなる態様においては、本考案は、ブラジャーカップの形状を形成するように成形された少なくとも２つの積層されたプライ材と、ブラジャーカップの下部周辺縁部で、又は該縁部に隣接して、プライ材間に挿入され、非金属で弾性的に屈曲可能とされた下胸サポートストリップと、を備えているブラジャーカップにある。
【００３０】
好ましくは、少なくとも２つのプライ材のうち少なくとも２つのプライ材が互いに同一の大きさとされている。
【００３１】
好ましくは、２つのプライ材のみが設けられて、各プライ材が織物のプライとされている。
【００３２】
好ましくは、２つのプライ材が織物のプライとされて、中間プライが２つの織物のプライ間に挿入されており、下胸サポートストリップが２つの織物のプライのうちいずれか一方のプライ及び中間プライに積層され、前記一方のプライと前記中間プライの間に積層されている。
【００３３】
好ましくは、中間プライは、少なくとも１つの発泡材からなる層を備えている。
【００３４】
好ましくは、中間プライが、２つの織物のプライと同一の大きさとされている。
【００３５】
好ましくは、少なくとも２つの積層された発泡プライ材からなるコア組立体が設けられて、下胸サポートストリップが２つの積層された発泡プライ材に積層され、２つの積層された発泡プライ材間にある。
【００３６】
好ましくは、下胸サポートストリップは、下胸サポートストリップの厚さよりも大きな幅を有している。
【００３７】
好ましくは、下胸サポートストリップは、不織材料を含んでいる。
【００３８】
好ましくは、下胸サポートストリップは、実質的に非伸縮性の材料を含んでいる。
【００３９】
好ましくは、下胸サポートストリップは、発泡材を含んでいる。
【００４０】
好ましくは、下胸サポートストリップは、中間プライの発泡材よりも高剛性とされる発泡材を含んでいる。
【００４１】
好ましくは、下胸サポートストリップは、コア組立体の発泡材よりも高剛性とされる発泡材を含んでいる。
【００４２】
好ましくは、ブラジャーカップが熱成形プロセスによって作られて、該プロセスの際に、下胸サポートストリップがブラジャーカップに組み込まれる。
【００４３】
さらなる態様においては、本考案は、２つの胸カップと、２つの胸カップ間のブリッジと、２つの胸カップの各々から延伸しているチェストバンドと、を含んでいるシームレスなブラジャーにある。該ブラジャーは、（ａ）互いに積層され、２つの胸カップの形状を形成するように成形された織物材料からなる外側プライ及び内側プライと、（ｂ）ブリッジで織物材料からなる外側プライと内側プライとの間に挿入され、外側プライ及び内側プライと積層された実質的に非伸縮性の材料からなる第１のパネルと、（ｃ）チェストバンドが延伸している位置から２つのチェストバンドのうち１つのチェストバンドと胸カップとの交差部で、又はその交差部に隣接して、織物材料からなる外側プライ及び内側プライと積層され、外側プライと内側プライとの間に挿入された実質的に非伸縮性の材料からなる第２のパネルと、（ｄ）チェストバンドが延伸している位置から２つのチェストバンドのうち他のチェストバンドと胸カップとの交差部で、又はその交差部に隣接して、織物材料からなる外側プライ及び内側プライと積層され、外側プライと内側プライとの間に挿入された実質的に非伸縮性の材料からなる第３のパネルと、（ｅ）２つの胸カップのうち一又は両方の胸カップの下部周辺縁部で、又はその下部周辺縁部に隣接して、織物材料からなる外側プライ及び内側プライに積層され、外側プライと内側プライとの間に挿入されて、弾性的に屈曲可能とされる非金属の下胸サポートストリップと、を備えている。
【００４４】
好ましくは、第１、第２、及び第３のパネルは、単一で連続的なパネルとされる。
【００４５】
好ましくは、ブラジャーは、２つの胸カップのうち少なくとも１つの胸カップの側面周辺縁部に隣接する織物材料の外層と内層との間に挿入されたホットメルト接着剤によって形成される補強領域と、２つの胸カップのうち少なくとも１つの胸カップから延伸しているチェストバンドと肩紐が２つの胸カップのうち少なくとも１つの胸カップに接合しているか、又は接合可能とされている位置との間を延伸している側面周辺縁部と、さらに備えている。
【００４６】
さらなる態様では、本考案は、（ａ）発泡材の外層と積層されて、２つの胸カップと２つの胸カップの間にあるブリッジを形成するように成形された発泡材の外層からなるコア組立体と、（ｂ）コア組立体の外側と内側とにそれぞれ配置された織物材料の外層の内側及び外側であって、織物材料の外層の外側及び内側のうち一又は両方がコア組立体の境界を越えて延伸し、ブラジャーのチェストバンド又はその一部を形成している織物材料の外側プライの内側及び外側と、（ｃ）非金属で弾性的に屈曲可能とされている下胸サポートストリップであって、２つの胸カップのうち一又は両方の胸カップの下部周辺縁部又はその隣接部で発泡材の外側プライ及び内側プライと積層され、外側プライと内側プライとの間に挿入されている下胸サポートストリップと、を備えているシームレスなブラジャーにある。
【００４７】
好ましくは、ブラジャーは、ブリッジで発泡材からなる外層及び内層と積層され、外層と内層との間に挿入されている実質的に非伸縮性の材料からなるパネルをさらに備えている。
【００４８】
好ましくは、コア組立体は、２つの胸カップのうち各胸カップの下部周辺縁部の少なくとも一部から延伸しているフランジをさらに備えている。
【００４９】
本考案の好ましい形態は、以下に図面を参照して説明される。
【考案を実施するための最良の形態】
【００５０】
以下において言及されている“内部（inner）”、“外部（outer）”、又はこれらに類する用語は、ブラ着用者の身体に言及していると理解すべきである。例えば、“最内（innermost）”、“内向き（inward）”、“内側（inner side）”、又は“内部領域（inner region）”という用語は、ブラ、構成要素又はサブアセンブリーの外向き又はより外部にある大部分よりも着用者の身体に近傍であるブラの側面を表わしている。
【００５１】
本考案の第１の好ましい実施例が、添付図面を参照して説明されている。
【００５２】
図１ａは、本考案における第１の好ましい実施例によるブラの胸カップ組立体１の正面図である。該組立体は、図７に示すように、ブラ６０の一部を形成することができる。図１ａに示す実施例に関する胸カップ組立体１の構成要素は、共に接続されている幾つかのプライ材から構成されている。該幾つかのプライ材のうち幾つか又はすべてが、共に積層又は実質的に積層されている。胸カップ組立体１は、他の構成要素と協働して、図７に示す実施例に関するブラ６０を形成している。他の構成要素は、肩紐６及びチェストバンド７を含んでいる。
【００５３】
チェストバンド７及び肩紐６は、胸カップ組立体１に取り付けられている独立した構成要素とすることができる。さもなければ、バンド７及びストリップ６のうち一又は両方のものは、胸カップ組立体１を延長部とすることができる。すなわち、胸カップを形成している構成要素、又はその一部が、胸カップ組立体１の境界を越えて延伸し、チェストバンド７及び／又は肩紐６を形成又は構成することができる。この場合には、胸カップからチェストバンドにかけて、胸カップ組立体１自体の物理的な境界、又は外部から視認可能とされる境界は存在しない。
【００５４】
ブラの胸カップ組立体１を形成する構成要素が、（好ましくは、接着剤を用いた）積層成形プロセス（molding and laminating process）によって作られ、前記構成要素を適切な形状に形成する。前記構成要素は、三次元的で胸カップの形状とされる２つの胸カップ８，９を形成している。胸カップ組立体１の構成要素は、プライ材からなるシームレスな組立体とされることが望ましい。第１の好ましい実施例におけるブラは、シームレスブラとされることが望ましい。本明細書及び特許請求の範囲においてシームレスを参照することによって、ブラは視覚的に実質的にシームレスとされることを意味することがわかる。特に、ブラの縁端部は、シームレスに仕上げられている。例えば、この仕上げは、超音波溶着によって達成される。または、前記仕上げは、外層の縁端部を折り畳んで、無縫合手段により内層に取り付けることによって達成される。さらには、前記仕上げは、実質的にシームレスな他の手段によっても達成することができる。しかしながら、外部から視認不可能な位置、又はほとんど外部から視認不可能な位置（例えば、肩紐６が胸カップ組立体１に取り付けられている領域、又は、フック若しくはアイテープがチェストバンド７に接続されている領域）にあるブラ構造体の内方に継ぎ目を確認することができる。さらには、継ぎ目はまた、外部からブラの内面上に視認することができる。
【００５５】
胸カップ組立体１を形成している構成要素は、胸カップ８，９、及び胸カップ８，９間にあるブリッジ１０を形成している。さらに、前記構成要素は、各胸カップ８，９の下部外周縁部１６の少なくとも一部を中心に延伸している下部外周フランジ２を形成していることが望ましい。下部外周フランジ２及びブリッジ１０は、フランジ２及びブリッジ１０を横切って一体とされている１つ以上の成形可能なプライ材によって形成されていることが望ましい。該１つ以上のプライ材は、胸カップ８，９を形成するプライに接続可能とされるか、又は、胸カップ８，９を形成するプライと一体とされ得る。胸カップ組立体１の１つ以上の成形可能なプライ材のうち幾つかのプライ材は、胸カップ８，９、及びブリッジ１０に沿って連続的とされることが望ましい。さらに、前記成形材料は、フランジ２を備える場合には、フランジ２にも沿って連続的とされることが望ましい。胸カップ組立体１は、共に積層され又は実質的に積層されている同一の大きさの成形可能なプライ材によって形成されていることが望ましい。
【００５６】
図１ｃ及び１ｄを参照すると、例えば、同一の大きさで隣接する成形可能なプライ材は、織物材料からなる外側プライ１１、及び織物材料からなる内側プライ１２を含んでなる。付加的な挿入プライ１３、又は付加的なプライ材が、外側プライ１１と内側プライ１２との間に挿入されている。前記プライ材は、好ましくは接着剤を利用して、隣接面全体に沿って共に積層又は実質的に積層されていることが望ましい。付加的な挿入プライはまた、備えられている場合には、内側プライ１１及び外側プライ１２と同一の大きさとされている。例えば、図１ｃに示す実施例に関する１つ以上の挿入プライ１３は、プライ１１，１２と同一の大きさとされる。代替的には、図１ｄに示す実施例に関しては、挿入プライ１３及び第２の挿入プライ１４は、プライ１１，１２と同一の大きさとすることができない。ここで、挿入プライ１３，１４は、好ましくは発泡材からなるが、先願となる出願人の米国特許出願公開第２００４／０２２４６０４号明細書（参照により以下に取り込まれている）に開示しているように、ブラのコア組立体を形成することができる。
【００５７】
本明細書及び特許請求の範囲において“挿入された”又は“〜の間”を参照することによって、幾つかの他の物の間に挿入されているか、又は幾つかの他の物の間にある物が、前記他の物又はその一部と隣接していることを意味することがわかる。言い換えれば、必然的に存在する訳ではないが、介在する物体である。
【００５８】
最も好ましい形態においては、挿入プライ１３及び１つ以上の任意の付加的なプライ（例えば、プライ１４）が、胸カップ８，９、フランジ２、及びブリッジ１０の各々で外側プライ１１及び内側プライ１２と同一の大きさとされることが望ましい。外側プライ１１は、織物材料（例えば、ポリエステルを含む合成織布）からなることが望ましいが、スパンデックス（spandex）として公知の材料から構成されることもできる。同様に、内側プライ１２はまた、前記材料から構成され得る。
【００５９】
代替的に、内側プライ１１及び外側プライ１２のうち一又は両方のプライが、図１ｂに示す実施例に関する発泡材からなる。内側プライ及び外側プライのうち一又は両方のプライが、図１ｂに示すように発泡材からなり、米国特許出願公開第２００４／０２２４６０４号明細書に開示されている。従って、例えば、織物材料からなるさらなる１つ以上のカバープライが、仕上げられたブラを提供するために、発泡材をカバーするように逐次貼り付けられる。
【００６０】
本考案は、ブラがフランジ２を含まない場合にも適用可能とされている。フランジ２が存在し、発泡材がフランジ２にも向かって延伸している場合には、フランジ２での発泡材の厚さは、胸カップでの発泡材の厚さよりも薄いことが望ましい。このことは、胸カップ及びフランジ２でのプライ材の適切な圧縮成形及び積層によって達成される。フランジ２での発泡材の減少された厚さは、フランジ２での発泡材の伸縮性を低減する。胸カップを形成する構成要素は、一般的に伸縮性を有している。発泡材が、胸カップ８，９にあり、該胸カップからフランジ２まで伸縮している場合には、フランジでの発泡材の厚さの減少は、フランジ２及びブリッジ１０を非伸縮性又は実質的に非伸縮性とする手助けとなる。フランジ及びブリッジ１０を非伸縮性とすることが望ましい理由は、肩紐及びチェストバンドによって生じる引張力と相俟って、胸を所定の位置に保つサポート機能を果たすことができるためである。
【００６１】
本明細書及び特許請求の範囲において“非伸縮性”（又は、非伸縮性の材料）を参照することにより、絶対な非伸縮性又は完全な非伸縮性というよりも、むしろ実質的な非伸縮性を意味することがわかる。
【００６２】
図１ｃ及び１ｄには、外側プライ１１及び内側プライ１２が１つ以上の挿入プライ１３と共に積層されることが望ましいことが表わされている。代替的には、外側プライ１１は、挿入プライ１３の上方に緩く貼り付けられ、例えば周辺縁部で挿入プライ１３に係合される。そのような場合には、外側プライ１１及び挿入プライ１３の隣接面全体に亘る積層を行うことができない場合がある。
【００６３】
少なくとも１つの下胸サポートストリップ４が、胸カップ組立体１の構成要素と協働している。下胸サポートストリップ４が、一カ所以上の所望の位置で胸カップ組立体の２プライ間に取り込まれているか、又は挿入されている。所望の位置は、２つの好ましい位置のうち少なくとも１つの位置を含んでいる。第１の好ましい位置は、胸カップ側面上の内方で、且つ、各胸カップ８，９の下部周辺縁部１６の実質的な一部に沿った位置にある。例えば、このことは、下胸サポートストリップ４が周辺縁部１６に隣接して位置決めされている図２に示されている。各胸カップの下部周辺縁部は、胸カップ９と周辺フランジ２との境界とされる。
【００６４】
図３ａは、下胸サポートストリップ４の代替的な位置を示している。該位置は、一の下胸サポートストリップが下部周辺縁部１６の他の側面上に設けられ、フランジ２内のプライからなる組立体のうち２つのプライの間に位置している。さらなる変形では、２つの独立した下胸サポートストリップ４ａ，４ｂが、下部周辺縁部１６の各側面上に１つずつ設けられている。図３ｃに示すようなよりさらなる変形では、下胸サポートストリップ４ｃが、下部周辺縁部１６を横切って延伸しており、図２及び３ａに示す代替例によりサポートが付与される位置の両方で設けられている。
【００６５】
図４は、胸カップ組立体１の正面図を示している。図４では、下胸サポートストリップ４が、図２を参照して説明された通りの位置に胸カップ８，９の各々のために設けられている。
【００６６】
図５では、図３ａに示す変形が示されている。
【００６７】
図６では、図３ｂに示す変形が示されている。下胸サポートストリップ４が、前記組立体のプライのうち少なくとも２つ（好ましくはすべて）の積層ステップ及び／又は成形ステップの際に熱接着によってプライ間に取り込まれている。下胸サポートストリップ４の主面（major surface）がプライ材と平行とされている。積層を容易に実施するために、接着材が、積層ステップの前に下胸サポートストリップ４に塗布される。
【００６８】
図８に示す実施例に関する下胸サポートストリップ４は、弾性的に屈曲可能だが実質的に非伸縮性とされる不織布とすることができる。前記下胸サポートストリップは、１つ以上の被覆プライ材からなり得るストリップのような平面部材又は薄肉部材とされることが望ましい。前記下胸サポートストリップは、被覆プライ材の主面で、又は被覆プライ材の縁部の一部又はすべてで接合され得る幾つかの被覆プライ材から構成される。平らな不織布のソックス状の物（sock）又はチャネル状の物（channel）が、下胸サポートストリップ４として用いられる。下胸サポートストリップ４は、代替的に発泡材とすることができる。下胸サポートストリップ４が発泡材とされる場合には、胸カップ組立体１のうち任意の又はすべての構成要素を形成するために、構成要素として用いられるどの発泡プライよりも非弾性的とされることが望ましい。下胸カップサポートストリップ４のために用いられる材料は、胸カップ組立体１に前記材料を組み込む熱成形プロセスの影響を受けやすいので、前記材料は熱成形プロセスの際の温度に耐えることができなければならない。例えば、前記材料は溶けても、非伸縮特性を失ってもならない。熱成形プロセスは、例えば約１７０〜１９０℃の温度及び約１２０秒の停止時間（dwell time）を必要とすることが望ましい。下胸カップストリップ４は、２つの主面を有する平坦且つ平面的な構成からなり、幅Ｗよりも実質的に薄い一定厚さＴとされることが望ましい。このことは、前記主面の平面に平行な方向の曲げ強さが、前記主面に垂直な方向の曲げ強さよりも非常に大きいことが望ましい。下胸カップサポートストリップ４は、金属材料から構成されないことが望ましい。下胸カップサポートストリップ４は、実質的に非伸縮性を有するが、前記主面と垂直な方向に弾性的に屈曲可能とされていることが望ましい。
【００６９】
胸カップ組立体に組み込まれる前に、下胸サポートストリップ４は、平面的な構成とされていることが望ましい。下胸サポートストリップ４の幅“Ｗ”は、特にその遠位端で、ブラを形成するプライ材の破れを防止することを補助している。なぜならば、従来のアンダーワイヤと比較した場合において遠位端が角張っていないためである。
【００７０】
好ましい形態においては、下胸サポートストリップ４は、いずれか１つの胸カップの下側周辺部に隣接して位置決めされている。しかしながら、代替的な形態においては、下胸サポート部材は、図９に示すような連続的な形態とされており、フランジ２及びブリッジ１０も備えられている胸カップ８，９の両方の周辺縁部１６の下に延伸している。この形態においては、下胸サポートストリップ４は、一般的に“Ｗ”状として説明され得る。
【００７１】
便宜上、胸カップ組立体１を形成するプライ材に起因する差違が見られない図２を参照すると、下胸サポートストリップ４は、胸カップ組立体を形成するプライ材内に挿入されているか、又は完全に取り込まれていることが望ましい。胸カップ組立体を形成する２つ以上の発泡プライ材がある場合には、下胸サポート部材が２つの発泡プライ材の間に挿入されていることが望ましい。単一の発泡プライ材が織物材料からなる２層間に挿入されているが、この場合においては、下胸サポート部材４が、より内側の織物材料からなるプライの間に取り込まれていることが望ましい。代替的には、胸サポートストリップ４は織物材料からなる外側プライ１１と発泡プライ材１３との間に位置決めされている。２つの下胸サポートストリップが、例えば図６を参照して説明されるように用いられる場合には、１つ以上の下胸サポートストリップが、胸カップ組立体１を形成する異なるプライ材間に設けられる。
【００７２】
下胸サポートストリップ及び本考案におけるブラの構成要素との協働方法が提供する利点は、アンダーワイヤがブラから突出することなく、サポート機能と心地良い柔らかさの両方を提供することにある。
【００７３】
以下において、添付図面を参照して本考案の第２の好ましい実施例を説明する。
【００７４】
図１０ａは、図１７に示すようなブラ１６０の一部を形成し得る胸カップ組立体１０１の前面図である。例えば、図１０ａに示すような胸カップ組立体１０１の構成要素は、２つの織物材料からなるプライを備えており、例えば、図１７に示すようなブラ１６０を形成するために他の構成要素と協働され得る。前記他の構成要素は、肩紐１０６及びチェストバンド１０７を含み得る。
【００７５】
チェストバンド１０７及び肩紐１０６は、胸カップ組立体１０１に取り付けられている独立した構成要素とされ得る。さもなければ、チェストバンド及び肩紐の両方又はいずれか一方は、胸カップ組立体１０１の延長部とされ得る。すなわち、胸カップ組立体１０１自体の物理的な境界又は外部から視認可能な境界が胸カップからチェストバンドまで存在する場合に、胸カップを形成する前記構成要素又はその一部が、胸カップ組立体１０１の境界を越えて延伸し、チェストバンド１０７及び／又は肩紐１０６を形成又は構成することが可能とされる。
【００７６】
少なくとも、第２の好ましい実施例のブラにおける胸カップ組立体１０１を形成する構成要素は、（好ましくは、接着剤を用いて）積層成形プロセスによって作られ、適切な形状に前記構成要素を形成する。前記構成要素は、三次元的な胸カップ形状からなる２つの胸カップ１０８，１０９を形成することができる。胸カップ組立体１０１の構成要素は、プライのシームレスな組立体からなることが望ましい。第２の好ましい実施例におけるブラは、シームレスなブラとされることが望ましい。シームレスとは、ブラが視覚的に実質的にシームレスであることを意味することに留意することによって、その点において、ブラの縁部がシームレスな方法で仕上げられている。例えば、このことは、超音波圧接によって、又は、外層の縁部を折り畳み、無縫合手段で内層に固定することによって、又は、実質的にシームレスとされる幾つかの他の手段によって達成される。肩紐１０６は、縫合によって固定され得る。同様に、縫合は、フック又はアイテープ（eye tape）がチェストバンド１０７に接続されている領域に利用され得る。さらには、継ぎ目はまた、ブラの内側上に外部から視認可能とされる。
【００７７】
胸カップ組立体１０１を形成する構成要素は、胸カップ１０８，１０９、及び胸カップ１０８，１０９と下側周辺フランジ１０２との間にあるブリッジ１１０を形成している。下側周辺フランジは、各胸カップ１０８，１０９の下側周辺縁部１１６の少なくとも一部を中心に延伸している。下側周辺フランジ１０２及びブリッジ１１０は同一構成とされており、フランジ１０２の延長部とブリッジ１１０とを一体化している１つ以上の成形可能なプライ材によって形成されていることが望ましい。前記１つ以上のプライ材は、胸カップ１０８，１０９を形成する構成要素に接続可能とされるか、又は、胸カップ１０８，１０９を形成する１つ以上の成形可能なプライ材と一体化可能とされる。胸カップ組立体１０１の１つ以上の成形可能なプライ材は、胸カップ１０８，１０９、ブリッジ１１０、及びフランジ１０２を横切って連続的とされている。胸カップ組立体１０１は、２つの同一の大きさの成形可能な織物材料からなるプライ材によって形成されていることが望ましい。該プライ材は、発泡プライ材の挿入なしに共に積層されている。
【００７８】
本考案は、ブラがフランジ１０２を含まない場合にも適用可能とされる。
【００７９】
図１０ｂを参照すると、胸カップ組立体１０１を形成する同じ大きさで隣接するプライ材は、外側プライ１１１（例えば、織物材料からなる）及び内側プライ１１２（例えば、織物材料からなる）から構成され得る。これらが、（好ましくは、接着剤を用いて）隣接する全表面を横切って共に積層又は実質的に積層されていることが望ましい。外側プライ１１１は、織物材料（例えば、ポリエステルを含むか、一般にスパンデックス（spandex）として知られている類からなる合成織布）からなることが望ましい。同様に、内側プライ１１２も、そのような材料からなり得る。
【００８０】
少なくとも１つの胸サポートストリップ１０４は、胸カップ組立体１０１の構成要素と協働している。下胸サポートストリップ１０４は、１つ以上の所望の位置で胸カップ組立体１０１の２つのプライ材の間に取り込まれているか、又は、挿入されている。所望の位置は、２つの好ましい領域のうち少なくとも１つの領域を含み得る。第１の好ましい領域は、胸カップ側面の内方にあり、各胸カップ１０８，１０９の下部周辺縁部１１６の一部に実質的に沿っている。このことが、例えば、下胸サポートストリップ１０４が周辺縁部１１６に隣接して位置決めされている図１４及び１０ｂに示されている。各胸カップの下部周辺縁部は、胸カップ１０８，１０９と周辺フランジ１０２との間の境界とされている。
【００８１】
図１２は、下胸サポートストリップ１０４の代替的な配置を示している。図１２では、一の下胸サポートストリップが、下部周辺縁部１１６の反対側面に設けられている。さらなる変形が、図１１に示されている。図１１では、２つの独立した下胸サポートストリップ１０４ａ，１０４ｂが、下部周辺縁部１１６の各側面に一つずつ設けられている。さらにさらなる変形が、図１３に示されている。図１３では、下胸サポートストリップ１０４ｃは、下部周辺縁部１１６を横切って延伸している。
【００８２】
図１４は、胸カップ組立体１０１の正面図を示している。図１４では、下胸サポートストリップ１０４は、各胸カップ１０８，１０９のために、図１０ｂを参照して説明した通りの位置に設けられている。
【００８３】
図１５においては、図１２に示す変形が示されている。
【００８４】
図１６においては、図１１に示す変形が示されている。
【００８５】
下胸サポートストリップ１０４は、プライ１１１，１１２の積層の際に熱接着によって、プライ１１１とプライ１１２との間に組み込まれる。このことは、下胸サポートストリップが三次元的なカップ形状を形成するために載置されている間にあるプライ材の成形と同時に、又は、その前に起こり得る。下胸サポートストリップの主面は、プライ材１１１，１１２と平行とされている。接着剤が、積層を容易に実施するために、積層する前に下胸サポートストリップ１０４にも塗布され得る。
【００８６】
例えば、図１８の実施例に示すような下胸サポートストラップ１０４は、弾性的に屈曲可能とされるが、実質的に非伸縮性とされる不織布とすることができる。前記ストリップは、平面部材又は薄肉部材（例えば、１つ以上の被覆プライ材から構成され得るストリップ）とされることが望ましい。前記ストリップは、該被覆材の主面又は縁部の一部若しくはすべてで接合され得る幾つかの被覆プライ材を備えることができる。平らな不織布のソックス状の物又はチャネル状の物は、下胸サポートストリップ１０４として用いることができる。下胸サポートストリップ１０４は、代替的に発泡材とすることもできる。下胸サポートストリップは発泡材である場合には、胸カップ組立体１０１の任意の又はすべての構成要素を形成するために、構成要素として用いられ得る任意の発泡プライ程弾性的でないことが望ましい。下胸サポートストリップ１０４のために用いられる材料が、胸カップ組立体１０１を組み込むための熱成形プロセスの影響を受けやすいので、前記材料は熱成形プロセスの際の温度を耐えることができなければならない。例えば、前記材料が溶解してはならず、非伸縮特性を失ってもならない。例えば、熱成形プロセスは、約１７０〜１９０℃の温度及び約１２０秒の停止時間（dwell time）を必要とすることが望ましい。下胸サポートストリップ１０４は、２つの主面を有している平坦且つ平面的な構成及び実質的に幅Ｗよりも薄い一定の厚さＴからなることが望ましい。このことは、主面の平面に平行な方向における曲げ強さが、主面に垂直方向における曲げ強さよりも非常に大きいことを意味している。下胸サポートストリップ１０４は、金属材料から構成されないことが望ましい。下胸サポートストリップは、前記主面に垂直方向において実質的に非伸縮性とされるが、弾性的に屈曲可能とされていることが望ましい。
【００８７】
胸カップ組立体１０１に組み込まれる前においては、下胸サポートストリップ１０４が平面的な構成とされていることが望ましい。下胸サポートストリップ１０４の幅“Ｗ”は、ストリップの遠位端が従来のアンダーワイヤと比較した場合には角張っていないので、特に前記遠位端でブラを形成するプライ材の破れ防止を補助する。
【００８８】
好ましい形態においては、下胸サポートストリップ１０４は、胸カップのいずれか一方の下部外縁に隣接して位置決めされている。しかしながら、代替的な形態においては、下胸サポートストリップ１０４は、胸カップ１０８，１０９の両方の下部周辺縁部１１６の下に延伸するために、図９に示すような連続的な形態からなることもできる。この形態においては、下胸サポートストリップ１０４は、一般的に“Ｗ”状として説明され得る。
【００８９】
下胸サポートストリップ１０４がもたらす利点は、アンダーワイヤがブラから突出することなく、アンダーワイヤのサポート機能及び心地良い柔らかさの両方を提供することにある。
【００９０】
図２０を参照すると、胸カップ組立体１０１はまた、周辺フランジ１０２を含み得る。各胸カップ１０８（及び図２０には図示しない参照符号１０９）の下部周辺縁部１１６及び各胸カップの少なくとも幾つかの側面縁部２１３（脇の下を通過するチェストバンドと、肩紐の位置又は肩紐が取り付けられ得る箇所（point）と、の間を延伸している場合に、ブラのアンダーアーム領域としても知られている）の中心を延伸している。肩紐１０６が設けられ得る。肩紐１０６の反対側には、ネックラインの周辺縁部２１２が設けられている。
【００９１】
図２０に部分的に示すブラは、実質的に非伸縮性とされる領域２２１を含んでいる。
【００９２】
各胸カップにおいては、領域２２１は、側面縁部２１３の上面に存在し、少なくとも側面縁部２１３の一部に沿って伸びていることが望ましい。ここで、胸カップを身体から離隔させるように押す横方向の力は、幾つかの他の領域でブラに働く他の力と比較して大きい。領域２２１はまた、肩紐１０６が胸カップに取り付けられている箇所に隣接する箇所、領域（region）、又は範囲（area）から延伸していることが望ましい。この領域はまた、胸カップから離隔するように肩紐の方向に沿った方向にブラカップを引張る引張力が大きいため、補強を必要とする。
【００９３】
そのような領域２２１は、接着フィルムとされる補強部材２２９によって形成されることが望ましい。
【００９４】
補強部材２２９は、図２０ａに示すように、２つの織物プライ１１２，１１１間に挿入されている。織物プライは互いに積層又は実質的に積層され、カップ状に成形される。２つの織物プライだけでは、ブラの使用中に、例えば、ブラの中心から左側へ移動するように左側のカップに作用する引張力に抗するために十分なサポートができないので、補強部材２２９が設けられている。
【００９５】
好ましい形態においては、補強部材２２９は、Bemis 3410のようなホットメルト接着剤とされる。これは、ホットメルトフィルム又は感熱型フィルムとしても知られている熱可塑性接着フィルムである。補強部材２２９は透明であり、比較的薄い織物層を通じて外部から視認不可能とされることが望ましい。
【００９６】
胸カップ１０８，１０９、及び、好ましくはブラ１０１の残りの部分は、主に織物の内側プライ１１２と積層された織物の外側プライ１１１のみからなる場合には、織物のプライはポリエステル、スパンデックス又は類似する合成織布とされることが望ましい。厚さ０．００１インチのフィルムであるホットメルト接着フィルム２４７（例えばBemis 3410）が、２つのプライを積層するために、該積層の前に外側プライ１１１と内側プライ１１２との間に貼り付けられる。スプレー接着チップ又はホットメルト接着チップは、外側プライ１１１を内側プライ１１２と積層するために、ホットメルト接着フィルムの代わりとして代替的に使用され得る。積層は、高温圧縮状態の下で達成されることが望ましい。
【００９７】
領域２２１は、補強部材２２９として作用するために内側プライと外側プライとの間に貼り付けられる付加的なホットメルト接着フィルム（例えば厚さ０．００１インチのBemis 3410）を有している。前記ホットメルト接着フィルムは、織物の外側プライ１１１と織物の内側プライ１１２とを共に積層するために用いられるホットメルト接着フィルム、スプレー接着チップ又はホットメルト接着チップに付加して用いられる。
【００９８】
従って、厚さ０．００１インチのホットメルト接着フィルム２４７が、外側プライ１１１と内側プライ１１２とを積層するために用いられる場合には、補強部材２２９として作用するホットメルト接着層が付加されるため、高温圧縮する前における領域２２１でのホットメルト接着フィルムの合計厚さは０．００２インチである。高温圧縮され、その後に冷却されると、前記領域で外側プライ１１１及び内側プライ１１２は互いに積層されて、ホットメルト接着フィルムとされる補強部材２２９によって付与されるサポート部が付加される。要するに、前記領域ではホットメルト接着剤の密度の方が大きい。このようにして設けられた付加的なサポート部は、外部から視認不可能とされ、又は薄い織物のプライ１１１，１１２を通じて見ることができない。高温圧縮された後、隣接するプライ材と混合されるため、接着フィルムは必ずしもまだ“未使用である”という訳ではない。しかし、高温圧縮ステップ及び成形ステップ又は高温圧縮ステップの後に、付加的なサポート部を設けた効果がある。図２０ａにおいては、ホットメルト接着剤のフィルム２２９，２４７は、説明の便宜上、プライであると仮定して示されている。ホットメルト接着剤は、プライ間に又はプライ近傍に埋め込まれている点に留意すべきである。
【００９９】
三次元形状の胸カップは、高温圧縮ステップと同時に、又は該ステップに続く独立したステップとして成形することによって形成され得る。その後、肩紐及び／又はファスナー（例えば、フックやアイテープ）が取り付けられ、仕上げられたブラを形成することができる。
【０１００】
付加的な補強部材が、図２１に示す２つの胸カップ１０８，１０９の間にあるブリッジ領域２９９にも存在している。そして、付加的な補強部材は、胸カップの下方にある周辺フランジ１０２にあり、胸カップ側面の任意の位置に存在していることが望ましい。図２１は、そのような付加的な補強部材を示している。図２１では、１つ以上のパネル材（例えば、パネル２３６，２３７，２３８）が、各胸カップ１０８，１０９の周辺縁部１１６の中心に設けられている。パネル２３７は、ブリッジ領域２９９を横切って延伸している。代替的に、パネル２３６，２３７，２３８が、パネル２３６，２３７，２３８と同一の延長部をカバーする単一のパネルによって形成されている。例えば、単一のパネルは、胸カップ下のマージンが許容する場合に利用され得る。付加的な補強部材は、熱の有無に関係なくパネル２３６，２３７，２３８との積層のために活性化され得る接着フィルムを使用すること（例えば、熱成形）によって、プライ１１１，１１２の中間に設けられている。例えば、パネル２３６，２３７，２３８は、ブラの製造の際には、胸カップ組立体の他方のプライ１１１又は１１２に係合される前に、胸カップ組立体のプライ１１１，１１２のうちいずれか一方のプライに接着され得る。一旦胸カップ組立体の他方のプライが適用されると、前記組立体は、例えば、形成し積層して、その後に切断することを目的とする熱成形によって、共に圧縮され得る。パネル２３６，２３７，２３８は、１つ以上のプライ材から構成され得る。前記パネルは、実質的に非伸縮性の材料（例えば、不織布）からなることが望ましい。パネル２３６，２３７，２３８の機能は、プライ１１１，１１２の伸縮性に抗する補助となる。前記プライは、膨れの発生を許容するために適切な領域で伸縮可能とされる必要がある。パネル２３７は、ブリッジ領域２９９で互いに離隔して胸カップ１０８，１０９の分離を防止することを目的とする。チェストバンド１０７及び胸カップ１０８，１０９の交差部に隣接する側面領域で、パネル２３６，２３８はチェストバンドから引張っている側路に抗している。さもなければ、該側路は、腕の下から大きく離隔されて引張られている前記領域、又は、乳房に抗して胸カップフラッタを引張っている前記領域での胸カップ周辺縁部に案内する。そのような伸縮がまた、ブラが胸の上に乗り上げることや胸からの脱落を防止するために、下部領域及び下部側方領域で抗されなければならない。非伸縮性の材料は、所望の方向でブラに付加的な引張強度を付与するために位置決めされ得る。特に、例示的な所望の方向は、着用者の胴体（torso）を中心とした周方向強度（hoop strength）（言い換えれば、チェストバンド及び下部胸カップ組立体を含んでいるブラ下部の伸縮に対する抵抗強度）をブラに付与する方向である。
【０１０１】
本考案が特定の実施例を参照して説明されているが、そのような実施例は、本考案の技術的範囲から逸脱しない限り、改造及び変形を許容すること、及び、本考案は、特許請求の範囲に属するすべての実施例を含んでいることを留意すべきである。
【図面の簡単な説明】
【０１０２】
【図１ａ】第１の好ましい実施例のブラについての胸カップ組立体を形成する構成部材の前面図である。
【図１ｂ】第１の好ましい実施例を示す図１ａの断面ＡＡを通じた断面図である。
【図１ｃ】第１の好ましい実施例の断面ＡＡの変形を示す。
【図１ｄ】第１の好ましい実施例の断面ＡＡのさらなる変形を示す。
【図２】胸カップ組立体を形成するプライ材に起因する差違はないが、下胸サポート構造体を図示している断面ＡＡを通じた断面図である。
【図３ａ】下胸サポートストリップを表わす断面ＡＡの変形を通じた断面図である。
【図３ｂ】下胸サポートストリップを表わす断面ＡＡを通じた変形である。
【図３ｃ】代替的な下胸サポートストリップを表わす断面ＡＡの変形を表わす。
【図４】下胸サポートストリップの位置を示しているブラ用胸カップ組立体の前面透視図である。
【図５】図４の胸カップ組立体の変形を表わす。
【図６】図４の胸カップ組立体の変形を表わす。
【図７】図１〜６を参照して表わす胸カップ組立体の構成要素を含むブラの正面図を示す。
【図８】下胸サポートストリップの斜視図である。
【図９】下胸サポートストリップの変形の平面図である。
【図１０ａ】第２の好ましい実施例のブラについての胸カップ組立体を形成する構成要素の正面図である。
【図１０ｂ】第２の好ましい実施例を示す図１０ａの断面ＢＢを通じた断面図である。
【図１１】下胸サポートストリップを表わす断面ＢＢの変形を通じた断面図である。
【図１２】下胸サポートストリップを表わす断面ＢＢを通じた変形である。
【図１３】代替的な下胸サポートストリップを表わすＢＢ断面の変形を表わす。
【図１４】下胸サポートストリップの位置を示す第２の好ましい実施例のブラについての胸カップ組立体の前面透視図である。
【図１５】図１４の胸カップ組立体の変形を表わす。
【図１６】図１４の胸カップ組立体の変形を表わす。
【図１７】図１０〜１６を参照して表わされる胸カップ組立体の構成要素を含むブラの正面図を示す。
【図１８】第２の好ましい実施例についての下胸サポートの斜視図である。
【図１９】第２の好ましい実施例についての下胸サポートストリップの変形の平面図である。
【図２０】補強領域を表わすために、第２の好ましい実施例における半分のブラの部分透視正面図である。
【図２０ａ】図２０の断面ＸＸを通じた断面図である。
【図２１】付加的なサポートを表わすために、図２０及び２０ａを参照して説明される補強部材に付加して設けられる第２の好ましい実施例のブラの部分透視正面図である。
【符号の説明】
【０１０３】
１  胸カップ組立体
２  周辺フランジ
４  下胸サポートストリップ
６  肩紐
７  チェストバンド
８  胸カップ
９  胸カップ
１０  ブリッジ
１１  外側プライ
１２  内側プライ
１３  挿入プライ
１６  下部周辺縁部
【図１ａ】
0003126567.tif 000003
【図１ｂ】
0003126567.tif 000004
【図１ｃ】
0003126567.tif 000005
【図１ｄ】
0003126567.tif 000006
【図２】
0003126567.tif 000007
【図３ａ】
0003126567.tif 000008
【図３ｂ】
0003126567.tif 000009
【図３ｃ】
0003126567.tif 000010
【図４】
0003126567.tif 000011
【図５】
0003126567.tif 000012
【図６】
0003126567.tif 000013
【図７】
0003126567.tif 000014
【図８】
0003126567.tif 000015
【図９】
0003126567.tif 000016
【図１０ａ】
0003126567.tif 000017
【図１０ｂ】
0003126567.tif 000018
【図１１】
0003126567.tif 000019
【図１２】
0003126567.tif 000020
【図１３】
0003126567.tif 000021
【図１４】
0003126567.tif 000022
【図１５】
0003126567.tif 000023
【図１６】
0003126567.tif 000024
【図１７】
0003126567.tif 000025
【図１８】
0003126567.tif 000026
【図１９】
0003126567.tif 000027
【図２０】
0003126567.tif 000028
【図２０ａ】
0003126567.tif 000029
【図２１】
0003126567.tif 000030